(57)【要約】【課題】着用物品に取り付けられて使用される吸収性物品において、身体に対するフィット性を向上させる。【解決手段】吸収性物品（１）は、着用物品に取り付けられて使用される吸収性物品であって、着用者の排泄口と対向する中央域（Ｓ１）と、中央域よりも後方に位置する後側域（３）と、少なくとも中央域と後側域に配置される吸収コア（３０）と、を有する。吸収コアには、周囲よりも吸収材料の坪量が低い低坪量部が設けられている。低坪量部は、吸収コアの幅方向の中央において中央域と後側域を跨がって前後方向に延びる第１低坪量部（４１）と、後側域において幅方向に延びる第２低坪量部（４２）と、を有する。第１低坪量部と第２低坪量部は、繋がっている。第２低坪量部の前後方向の長さは、吸収コアの厚みよりも長い。【選択図】  図１
2020096749.tif 000002
【特許請求の範囲】
【請求項１】
互いに直交する前後方向及び幅方向と、
着用者の排泄口と対向する中央域と、
前記中央域よりも後方に位置する後側域と、
少なくとも前記中央域と前記後側域に配置される吸収コアと、を有し、
着用物品に取り付けられて使用される吸収性物品であって、
前記吸収コアには、周囲よりも吸収材料の坪量が低い低坪量部が設けられており、
前記低坪量部は、前記吸収コアの前記幅方向の中央において前記中央域と前記後側域を跨がって前記前後方向に延びる第１低坪量部と、前記後側域において前記幅方向に延びる第２低坪量部と、を有し、
前記第１低坪量部と前記第２低坪量部は、繋がっており、
前記第２低坪量部の前記前後方向の長さは、前記吸収コアの厚みよりも長い、吸収性物品。
【請求項２】
前記第１低坪量部よりも前記幅方向の外側かつ前記第２低坪量部よりも前側には、前記第１低坪量部及び前記第２低坪量部よりも吸収材料の坪量が高い高坪量部が、前記第２低坪量部の前端縁から前記中央域の前記前後方向の中心まで連続している、請求項１に記載の吸収性物品。
【請求項３】
前記第２低坪量部は、前記吸収コアの前記幅方向の中央から前記幅方向の両方の外側に向かって延びており、
前記第２低坪量部の前記幅方向の中央は、前記第２低坪量部の外側縁よりも後側に位置する、請求項１又は請求項２に記載の吸収性物品。
【請求項４】
前記第２低坪量部は、前記吸収コアの前記幅方向の中央から前記幅方向の両方の外側に向かって延びており、
前記第２低坪量部の前記幅方向の中央は、前記第２低坪量部の外側縁よりも前側に位置する、請求項１又は請求項２に記載の吸収性物品。
【請求項５】
前記吸収性物品の肌面側を内側にして折り畳むための折り線が、前記幅方向に沿って設けられており、
前記折り線は、前記第２低坪量部に重なっている、請求項１から請求項４のいずれか１項に記載の吸収性物品。
【請求項６】
前記吸収性物品の外側縁には、前記幅方向の内側に凹んだくびれ部が形成されており、
前記第２低坪量部は、前記中央域の前記前後方向の中心よりも後側において最も前記幅方向の内側に位置するくびれ部よりも後側に位置する、請求項１から請求項５のいずれか１項に記載の吸収性物品。
【請求項７】
前記第１低坪量部に対する前記幅方向の両側には、前記吸収コアを厚み方向に圧搾したサイド圧搾部が形成されており、
前記サイド圧搾部は、前記前後方向に延び、前記第２低坪量部に繋がっている、請求項１から請求項６のいずれか１項に記載の吸収性物品。
【請求項８】
前記低坪量部は、前記第１低坪量部に対する前記幅方向の両側において前記前後方向に延びるサイド低坪量部を有し、
前記サイド低坪量部は、前記第２低坪量部に繋がっている、請求項１から請求項７のいずれか１項に記載の吸収性物品。
【請求項９】
前記第２低坪量部の前記前後方向の長さは、前記第１低坪量部の前記幅方向の長さよりも長い、請求項１から請求項８のいずれか１項に記載の吸収性物品。
【請求項１０】
前記低坪量部は、前記第２低坪量部よりも後側において前記幅方向に延びる第３低坪量部を有し、
前記第３低坪量部の前記前後方向の長さは、前記第２低坪量部の前記前後方向の長さよりも短い、請求項１から請求項９のいずれか１項に記載の吸収性物品。
【請求項１１】
前記吸収コアよりも肌面側に配置されたコアラップを有し、
前記第１低坪量部と重なる領域には、少なくとも前記吸収コア及び前記コアラップを圧縮した第１圧搾部が形成されており、
前記第２低坪量部と重なる領域には、前記第１圧搾部が形成されずに、接着剤を介して前記コアラップと前記吸収コアが接合された接着部が設けられている、請求項１から請求項１０のいずれか１項に記載の吸収性物品。
【発明の詳細な説明】
【技術分野】
【０００１】
本発明は、生理用ナプキン等の着用物品に止着される吸収性物品に関する。
【背景技術】
【０００２】
特許文献１には、肌当接面側に隆起する中高部と、幅方向に延びる横溝と、を有する吸収性物品が開示されている。中高部は、吸収コアの幅方向の中央において前後方向に延びている。中高部によって、着用者の排泄口に吸収コアがフィットする。また、横溝は、前後方向に間隔を空けて複数配置されている。複数の横溝を基点に吸収コアが変形することにより、着用者の前後方向に延びる身体の丸みに沿って吸収コアが配置される。
【先行技術文献】
【特許文献】
【０００３】
【特許文献１】特開２０１４−１０４０９３号公報
【発明の概要】
【発明が解決しようとする課題】
【０００４】
しかし、上述した吸収性物品には、以下の問題点がある。
特許文献１のように着用物品に取り付けて使用される吸収性物品は、一般的に、着用者の身体に対して吸収性物品を押し当てる部材（例えば、ウエストバンド）を備えず、着用物品によって身体に対して吸収性物品が押し当てられる。当該吸収性物品は、着用物品によって身体に押し当てられることで身体の丸みに沿うように変形できる。しかし、着用物品自体が身体に対して密着しない形態にあっては、吸収性物品の密着性も低下し、身体に沿った形状を実現し難いことがあった。
【０００５】
出願人が種々調査を行った結果、諸外国において密着性の低い着用物品を使用する傾向があることがわかった。密着性の低い着用物品に取り付けられた吸収性物品は、着用物品によって身体に押し当てられないことがある。そのため、吸収物品が身体の丸みに沿うように変形できず、身体に対するフィット性を十分に得ることができないことがあった。
【０００６】
本発明は、上述の課題に鑑みてなされたものであり、着用物品に取り付けられて使用される吸収性物品において、身体に対するフィット性を向上させることを目的とする。
【課題を解決するための手段】
【０００７】
一態様に係る吸収性物品は、互いに直交する前後方向及び幅方向と、着用者の排泄口と対向する中央域と、前記中央域よりも後方に位置する後側域と、少なくとも前記中央域と前記後側域に配置される吸収コアと、を有し、前記吸収コアには、周囲よりも吸収材料の坪量が低い低坪量部が設けられており、着用物品に取り付けられて使用される吸収性物品であって、前記低坪量部は、前記吸収コアの幅方向の中央において前記中央域と前記後側域を跨がって前記前後方向に延びる第１低坪量部と、前記後側域において前記幅方向に延びる第２低坪量部と、を有し、前記第１低坪量部と前記第２低坪量部は、繋がっており、前記第２低坪量部の前記前後方向の長さは、前記吸収コアの厚みよりも長い。
【図面の簡単な説明】
【０００８】
【図１】第１実施形態における肌面側から見た吸収性物品の平面図である。
【図２】第１実施形態における非肌面側から見た吸収性物品の平面図である。
【図３】図１の３Ａ−３Ａ線に沿った吸収性物品の断面図である。
【図４】図１の４Ａ−４Ａ線に沿った吸収性物品の断面図である。
【図５】吸収コアの平面図である。
【図６】使用中の吸収性物品の斜視図である。
【図７】第２実施形態における肌面側から見た吸収性物品の平面図である。
【発明を実施するための形態】
【０００９】
（１）実施形態の概要
本明細書及び添付図面の記載により、少なくとも以下の事項が明らかとなる。
一態様に係る吸収性物品は、互いに直交する前後方向及び幅方向と、着用者の排泄口と対向する中央域と、前記中央域よりも後方に位置する後側域と、少なくとも前記中央域と前記後側域に配置される吸収コアと、を有し、前記吸収コアには、周囲よりも吸収材料の坪量が低い低坪量部が設けられており、着用物品に取り付けられて使用される吸収性物品であって、前記低坪量部は、前記吸収コアの幅方向の中央において前記中央域と前記後側域を跨がって前記前後方向に延びる第１低坪量部と、前記後側域において前記幅方向に延びる第２低坪量部と、を有し、前記第１低坪量部と前記第２低坪量部は、繋がっており、前記第２低坪量部の前記前後方向の長さは、前記吸収コアの厚みよりも長い。
【００１０】
本態様によれば、中央域の吸収コアは、着用者の脚によって挟まれることによって幅方向の外側から内側に向かう力を受けることにより、第１低坪量部を基点として変形する。第１低坪量部を頂点として吸収コアが凸状に変形することにより、着用者の排泄口に吸収コアがフィットする。第１低坪量部と第２低坪量部が繋がっているため、第１低坪量部を頂点とした凸状の変形が少なくとも第２低坪量部の前端縁まで伝わる。そして、後側域の吸収コアは、幅方向に延びる第２低坪量部を基点として前後方向に変形する。第２低坪量部の前後方向の長さが吸収コアの厚みよりも長いため、第２低坪量部を基点とした変形時に第２低坪量部を前後方向に挟んだ吸収コア同士がぶつかり難い。よって、第２低坪量部を基点にして吸収コアが大きく変形し易く、第１低坪量部を頂点とした凸形状を維持しつつ、前後方向に延びる身体の丸みに沿い易い。着用物品によって身体側に押圧する力がかからない場合であっても、後側域の吸収コアが臀部の丸みに沿って配置されやすい。よって、排泄口に対するフィット性と臀部に対するフィット性を両立できる。
【００１１】
好ましい一態様によれば、前記第１低坪量部よりも前記幅方向の外側かつ前記第２低坪量部よりも前側には、前記第１低坪量部及び前記第２低坪量部よりも吸収材料の坪量が高い高坪量部が、前記第２低坪量部の前端縁から前記中央域の前記前後方向の中心まで連続してよい。
【００１２】
本態様によれば、高坪量部が第２低坪量部から中央域の前記前後方向の中心まで連続しているため、第２低坪量部よりも前側に身体の前後方向に吸収コアを大きく曲げる変形基点が形成され難い。そのため、幅方向の外側から幅方向の内側に向かって力がかかった際に、当該力が分散せずに第１低坪量部に集中し易い。よって、第１低坪量部を頂点とした凸形状を形成し易い。また、第１低坪量部を頂点とした凸形状が形成された後は、第１低坪量部を頂点とした変形を高坪量部によって支持でき、身体に対する凸形状を維持し易い。よって、排泄口に対向する領域近傍では、第１低坪量部を頂点とした凸形状を連続して形成するとともに、吸収コアを前後方向に連続して当てて体液を吸収できる。
【００１３】
好ましい一態様によれば、前記第２低坪量部は、前記吸収コアの前記幅方向の中央から前記幅方向の両方の外側に向かって延びており、前記第２低坪量部の前記幅方向の中央は、前記第２低坪量部の外側縁よりも後側に位置してよい。
【００１４】
臀部の幅方向に沿った断面は、幅方向の中央が幅方向の側部よりも膨らんでいる。そのため、臀部の丸みに対向する領域では、幅方向の中央よりも幅方向の側部の方をより前側で変形させることが好ましい。本態様によれば、第２低坪量部を基点とした変形が幅方向の中央よりも幅方向の側部が前側に位置するため、吸収コアが身体の形状により沿い易くなり、第１低坪量部を基点とした凸形状を維持しつつ、第２低坪量部を基点に変形できる。
【００１５】
好ましい一態様によれば、前記第２低坪量部は、前記吸収コアの前記幅方向の中央から前記幅方向の両方の外側に向かって延びており、前記第２低坪量部の前記幅方向の中央は、前記第２低坪量部の外側縁よりも前側に位置してよい。
【００１６】
第１低坪量部を頂点とした凸状の変形は、中央域から後側域に向かって伝わり、少なくとも第２低坪量部の前端縁まで伝わる。本態様によれば、第２低坪量部は、幅方向の中央が前側に突出しているため、第１低坪量部を頂点とした凸状の変形は、まず第２低坪量部の幅方向の中央に伝わり、第２低坪量部の幅方向の外側に向かって伝わる。そのため、第１低坪量部を基点とした凸状の変形は、第２低坪量部を基点として幅方向の外側かつ後側にスムーズに伝達できる。よって、吸収コアを隆起させる力が弱い場合であっても、第１低坪量部及び第２低坪量部を基点とした変形を実現しやすい。
【００１７】
好ましい一態様によれば、前記吸収性物品の肌面側を内側にして折り畳むための折り線が、前記幅方向に沿って設けられており、前記折り線は、前記第２低坪量部に重なってよい。
【００１８】
肌面側を内側にして折り畳むための折り線による折り癖が強い場合には、当該折り癖によって吸収性物品が身体から離れるように変形し易い。折り線が第２低坪量部に重なっていることにより、折り線による折り癖を弱くし、身体から吸収性物品が離れるような変形を抑制できる。また、折り線による折り癖が強い場合には、第１低坪量部を基点とした凸状の変形が分断され、当該凸状の変形が後側に伝達し難くなるおそれがある。しかし、折り線による折り癖が弱くなることにより、第１低坪量部を基点とした凸状の変形を分断せずに、前後方向に伝達し易くなる。
【００１９】
好ましい一態様によれば、前記吸収性物品の外側縁には、前記幅方向の内側に凹んだくびれ部が形成されており、前記第２低坪量部は、前記中央域の前後方向の中心よりも後側において最も前記幅方向の内側に位置するくびれ部よりも後側に位置してよい。
【００２０】
本態様によれば、最も前記幅方向の内側に位置するくびれ部よりも前側やくびれ部において第２低坪量部による変形基点が形成されると、くびれ部近傍が身体から離れ、横漏れが発生し易い。しかし、中央域の前後方向の中心よりも後側において最も前記幅方向の内側に位置するくびれ部よりも後側に第２低坪量部による変形基点が形成されるため、くびれ部近傍における横漏れを抑制できる。
【００２１】
好ましい一態様によれば、前記第１低坪量部に対する前記幅方向の両側には、前記吸収コアを厚み方向に圧搾したサイド圧搾部が形成されており、前記サイド圧搾部は、前記前後方向に延び、前記第２低坪量部に繋がってよい。
【００２２】
本態様によれば、比較的剛性が高いサイド圧搾部が第１低坪量部に向けて力を伝達し、比較的剛性が低い第１低坪量部を基点とした凸形状を形成し易い。また、第１低坪量部を頂点とした凸形状が形成された後は、第１低坪量部を頂点とした変形をサイド圧搾部によって支持でき、身体に対する凸形状を維持し易い。サイド圧搾部が第２低坪量部に繋がっているため、第１低坪量部を頂点とした凸形状を第２低坪量部まで連続して形成し易い。
【００２３】
好ましい一態様によれば、前記低坪量部は、前記第１低坪量部に対する前記幅方向の両側において前記前後方向に延びるサイド低坪量部を有し、前記サイド低坪量部は、前記第２低坪量部に繋がってよい。
【００２４】
本態様によれば、サイド低坪量部が設けられていることにより、第１低坪量部とサイド低坪量部が協働して変形し、幅方向に沿った断面において吸収コアがＷ字状に変形し易い。また、サイド低坪量部が第２低坪量部に繋がっているため、第１低坪量部を頂点とした凸形状を第２低坪量部まで連続して形成できる。
【００２５】
好ましい一態様によれば、前記第２低坪量部の前記前後方向の長さは、前記第１低坪量部の前記幅方向の長さよりも長くてよい。
【００２６】
本態様によれば、本態様によれば、第２低坪量部を基点にして吸収コアが大きく変形し易くなる。一方、第１低坪量部を基点にして吸収コアが大きく変形し難く、第１低坪量部を基点とした吸収コアの変形が緩やかになる。第１低坪量を基点として吸収コアが大きく変形すると、排泄口に対する違和感が発生したり、中央域における吸収コアの幅を確保できず横漏れが発生したりする不具合のおそれがある。第１低坪量部を基点とした吸収コアの変形が緩やかにすることができ、当該不具合を抑制できる。
【００２７】
好ましい一態様によれば、前記低坪量部は、前記第２低坪量部よりも後側において前記幅方向に延びる第３低坪量部を有し、前記第３低坪量部の前記前後方向の長さは、前記第２低坪量部の前記前後方向の長さよりも短くてよい。
【００２８】
本態様によれば、第２低坪量部よりも後側に、前後方向に延びる身体の丸みに沿わせる変形基点を設けることができ、後側域における臀部に対するフィット性をより向上できる。また、第３低坪量部の前後方向の長さが短いため、第３低坪量部を基点に大きく変形せず、第３低坪量部が身体から離れすぎず、後漏れを抑制できる。
【００２９】
好ましい一態様によれば、前記吸収コアよりも肌面側に配置されたコアラップを有し、前記第１低坪量部と重なる領域には、少なくとも前記吸収コア及び前記コアラップを圧縮した第１圧搾部が形成されており、前記第２低坪量部と重なる領域には、前記第１圧搾部が形成されずに、接着剤を介して前記コアラップと前記吸収コアが接合された接着部が設けられてよい。
【００３０】
本態様によれば、第１低坪量部は、第２低坪量部よりも脚によって強い力を受けやすい。第１圧搾部によって第１低坪量部の剛性を高め、脚によって強い力を受けた場合であっても、第１低坪量部の形状を維持し、第１低坪量部を頂点とした凸形状を維持し易い。また、第２低坪量部に作用する力は、第１低坪量部よりも弱くなり易い。第２低坪量部に第１圧搾部が形成されていないことにより、第２低坪量部の剛性を高めすぎずに違和感を抑制しつつ、コアラップと吸収コアを接合することにより、吸収コアに体液を引き込み、伝え漏れを抑制できる。
【００３１】
（２）第１実施形態に係る吸収性物品
以下、図面を参照して、第１実施形態に係る吸収性物品ついて説明する。吸収性物品は、生理用ナプキン、パンティライナー及び、大人用失禁パッドを含む。吸収性物品は、下着等の着用物品の内側に取り付けられて使用される物品であってよい。
【００３２】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれる場合がある。
【００３３】
図１は、第１実施形態における肌面側から見た吸収性物品の平面図である。図２は、第１実施形態における非肌面側から見た吸収性物品の平面図である。図３は、図１に示す３Ａ−３Ａ線に沿った断面図である。図４は、図１に示す４Ａ−４Ａ線に沿った断面図である。ここで、「肌面側」は、使用中に着用者の肌に面する側に相当する。「非肌面側」は、使用中に着用者の肌とは反対に向けられる側に相当する。
【００３４】
吸収性物品１は、前後方向Ｌと幅方向Ｗと厚み方向Ｔとを有する。前後方向Ｌは、着用者の前側（腹側）から後側（背側）に延びる方向、又は着用者の後側から前側に延びる方向である。幅方向Ｗは、前後方向Ｌと直交する方向である。厚み方向Ｔは、着用者の肌面側Ｔ１から非肌面側Ｔ２へ延びる方向であり、前後方向Ｌ及び幅方向Ｗに直交する方向である。肌面側Ｔ１は、使用時に、着用者の肌に面する側に相当する。非肌面側Ｔ２は、使用時に、肌面側Ｔ１とは反対側、すなわち着用者の肌とは反対に向けられる側に相当する。
【００３５】
吸収性物品１は、中央域Ｓ１、前側域Ｓ２及び後側域Ｓ３を有する。中央域Ｓ１は、着用者の排泄口（例えば膣口）に対向する領域である。吸収性物品が下着に装着されたときに、中央域Ｓ１は、下着の股下部に位置する。つまり、中央域Ｓ１は、着用者の股下、すなわち着用者の両足の間に配置される領域である。前側域Ｓ２は、中央域Ｓ１よりも前側に位置する。前側域Ｓ２の前端縁は吸収性物品１の前端縁を規定する。後側域Ｓ３は、中央域Ｓ１よりも後側に位置する。後側域Ｓ３の後端縁は吸収性物品１の後端縁を規定する。後側域Ｓ３の前後方向Ｌの長さは、中央域Ｓ１の前後方向Ｌの長さよりも長くなってよい。
【００３６】
中央域Ｓ１には、後述するウイング３が設けられてよい。また、後側域Ｓ３には、幅方向Ｗの外側に膨らんだヒップフラップ４が設けられてよい。ウイング３の前端縁は、ウイング３の付け根によって規定されており、最も幅方向Ｗの内側に窪んだ２つの部分のうち、前側に位置する部分に相当する。ウイング３の前端縁は、中央域Ｓ１と前側域Ｓ２との境界を規定してもよい。ウイング３の後端縁は、ウイング３の付け根によって規定されており、最も幅方向Ｗの内側に窪んだ２つの部分のうち、後側に位置する部分に相当する。ウイング３の後端縁は、中央域Ｓ１と後側域Ｓ３との間に位置してよい。ここで、前後方向Ｌにおけるウイング３の前端縁とウイング３の後端縁との間の領域を「ウイング域」と称する。ウイングを有する吸収性物品では、中央域Ｓ１は、ウイング域と実質的に同じ領域となる。したがって、本明細書において、「中央域Ｓ１」との語は、「ウイング域」と読み替えることができることに留意すべきである。
【００３７】
吸収性物品１は、肌面シート１０、非肌面シート２０及び吸収コア３０を有する。肌面シート１０は、吸収コア３０よりも肌面側Ｔ１に設けられる。非肌面シート２０は、吸収コア３０よりも非肌面側Ｔ２に設けられる。吸収コア３０は、肌面シート１０と非肌面シート２０との間に設けられる。
【００３８】
肌面シート１０は、体液等の液体を透過する液透過性のシートであり、不織布、織布、有孔プラスチックシート、メッシュシート等、液体を透過する構造を有する任意のシート状の材料から構成される。また、肌面シート１０は、吸収コア３０の幅方向の中央を覆う表面シートと、表面シートの外側縁を覆い、かつ表面シートから幅方向の外側に延びるサイドシートによって構成されよい。表面シートは、少なくとも吸収コアの幅方向の中央を覆い、サイドシートは、幅方向Ｗにおける表面シートの外側縁を覆い、表面シートよりも幅方向Ｗの外側へ延びてよい。サイドシートは、防漏性の観点から疎水性のシートを用いてもよい。
【００３９】
非肌面シート２０は、液不透過性のシートである。非肌面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。
【００４０】
吸収コア３０は、少なくとも中央域Ｓ１及び後側域Ｓ３に配置される。また、吸収コア３０は、中央域Ｓ１から前側域Ｓ２まで延びてもよい。吸収コア３０は、液体を吸収する吸収材料が積層されており、コアラップ３１によって覆われてよい。吸収コア３０を構成する吸収材料は、例えば、親水性繊維、パルプ及び高吸水性高分子（ＳＡＰ）から形成できる。吸収コア３０は、熱可塑性樹脂繊維を含んでいてよい。コアラップ３１は、例えば不織布やティッシュから構成することができる。コアラップ３１は、吸収コア３０よりも肌面側Ｔ１と吸収コア３０よりも非肌面側Ｔ２にそれぞれ配置されてよく、肌面側Ｔ１に配置されたコアラップ３１と非肌面側Ｔ２に配置されたコアラップ３１とは、同じシートによって構成されていてもよいし、別々のシートによって構成されていてもよい。変形例として、吸収コア３０は、コアラップを有していなくてもよい。この場合、吸収コア３０は、肌面シート１０と非肌面シート２０とによって覆われていればよい。
【００４１】
前述したように、吸収性物品１は、ウイング３及びヒップフラップ４を有する。ウイング３及びヒップフラップ４は、中央域Ｓ１における吸収コア３０の外側縁よりも幅方向Ｗの外側に延出している。ウイング３及びヒップフラップ４は、肌面シート１０と非肌面シート２０との積層によって構成されてよい。ウイング３は、非肌面シート２０側に折り返し可能に構成されている。ウイング３は、使用時に下着のクロッチ部の非肌面側に折り返される。
【００４２】
ヒップフラップ４は、ウイング３よりも後側に位置し、後側域Ｓ３に設けられている。ヒップフラップ４は、使用時に折り返されず、下着と着用者の臀部との間に配置される。本実施形態では、ヒップフラップ４には吸収材料が設けられていない。この代わりに、ヒップフラップ４には、吸収材料が設けられてもよい。
【００４３】
図２に示すように、吸収性物品１は、吸収性物品１を下着等の着用物品に接合するための粘着剤が設けられた粘着部を有する。粘着部は、吸収コア３０と重なる領域に配置された本体粘着部６１、ウイング３に配置されたウイング粘着部６３、及びヒップフラップ４に配置されたフラップ粘着部６４と、を有してよい。本体粘着部６１は、前後方向Ｌに延び、かつ幅方向Ｗに間隔を空けて配置されている。本体粘着部６１は、吸収性物品の幅方向Ｗの中心である物品幅中心１ＣＷに配置されてなく、物品幅中心１ＣＷの幅方向Ｗの両側にそれぞれ２列ずつ配置されている。これらの粘着部は、非肌面シート２０の非肌面側に設けられている。粘着部６０は、使用前の状態において、被覆シートによって覆われてもよい。被覆シートは、使用前に粘着部の粘着剤の劣化を防止し、吸収性物品の使用時に着用者によって取り外される。
【００４４】
吸収性物品１は、少なくとも吸収コア３０を厚み方向に圧縮した圧搾部８０が形成されてよい。圧搾部８０は、少なくとも吸収コア３０が厚み方向に圧縮されていればよく、吸収コア３０と肌面シートが厚み方向に圧縮されてもよいし、吸収コア３０とコアラップ３１が厚み方向に圧縮されていてもよいし、吸収コア３０、コアラップ３１及び肌面シート１０が厚み方向に圧縮されていてもよい。圧搾部８０は、サイド圧搾部８５と、第１圧搾部８１と、を有してよい。サイド圧搾部８５は、第１低坪量部４１に対する幅方向Ｗの両側に設けられ、前後方向Ｌに延びている。第１圧搾部８１は、第１低坪量部４１と重なる領域に配置されてよい。
【００４５】
吸収性物品１は、使用前に折り線を基点に折り畳まれてよく、吸収性物品１を前後方向Ｌに折り畳むための折り線が設けられてよい。折り線は、前後方向Ｌに間隔を空けて設けられてよい。折り線は、幅方向Ｗに沿って延びており、第１折り線ＦＬ１及び第２折り線ＦＬ２を有してよい。第１折り線ＦＬ１は、吸収性物品１の前後方向Ｌの後端縁に最も近く、第２折り線ＦＬ２は、吸収性物品１の前後方向Ｌの前端縁に最も近い。第１折り線ＦＬは、後述する第２低坪量部４２に重なっており、本発明の折り線を構成する。なお、変形例において、第１折り線ＦＬ１と第２折り線ＦＬ２の間に、幅方向Ｗに延びる他の折り線が配置されてもよい。第１折り線ＦＬ１及び第２折り線ＦＬ２は、吸収性物品の包装時（使用前）に、吸収性物品１の肌面側Ｔ１を内側にして吸収性物品１を折り畳むためのラインである。折り線は、折り癖の位置によって特定することができ、吸収性物品１の折り癖が特定しにくい形態にあっては、吸収性物品と共に折り畳まれる被覆シート等の折り癖を基準に折り線の位置を特定してよい。また、吸収性物品１を折り畳む際は、ウイング３及びヒップフラップ４を吸収コア３０の肌面側を覆うように折り畳んだ後に、第１折り線ＦＬ１及び第２折り線ＦＬ２を基点に折り畳む。よって、ウイング３及びヒップフラップ４を折り畳んだ状態で、ウイング３及びヒップフラップ４が重なる領域（例えば、第２低坪量部４２）は、折り癖が付きやすくなる。
【００４６】
（３）吸収コアの詳細構成
次に、図１〜図５を参照し、吸収コア３０の構成についてより具体的に説明する。図５は、吸収コア３０の平面図である。吸収コア３０には、周囲よりも吸収材料の坪量が低い低坪量部が設けられている。低坪量部は、第１低坪量部４１、第２低坪量部４２、第３低坪量部４３及びサイド低坪量部４５を有してよい。ここで、「低坪量部」は、その周囲の吸収コア３０よりも低い坪量の吸収材料を有する領域、又は吸収材料を有していない領域を意味する。このように、「低坪量部」は、吸収コア３０の坪量が零である領域を含む概念である。「低坪量部」が吸収材料を有していない領域である場合でも、コアラップは、低坪量部を跨いで吸収コア全体を包んでいてよい。この場合、吸収コア３０が複数の領域に分断されていたとしても、吸収コア３０は、コアラップによって一体的に形成される。
【００４７】
低坪量部における吸収コア３０の坪量は、好ましくは１８０ｇ／ｍ2以下、より好ましくは、１２０ｇ／ｍ2以下である。低坪量部を基点とした変形を促すとともに、排泄口から流れ出た体液を吸収コア３０内に速やかに引き込み、吸収性物品１の肌面を伝うことを抑制できる。また、低坪量部における吸収コア３０の坪量は、実質的に０ｇ／ｍ2であってよい。低坪量部の坪量が０ｇ／ｍ2である場合には、伝い漏れを防ぐために、コアラップとしてティッシュを用いることが好ましい。また、低坪量部における吸収コア３０の坪量は、低坪量部のまわりの吸収コア３０の坪量との差が１００ｇ／ｍ2以上であってよく、好ましくは、２００ｇ／ｍ2以上であってよい。また、低坪量部における吸収コア３０の坪量は、低坪量部のまわりの吸収コア３０の坪量の８０％以下であることが好ましく、６０％以下であることがより好ましい。低坪量部の坪量が高くなりすぎると、圧搾部が形成された際に硬くなりすぎ、変形しにくくなるおそれがあるため、上記範囲であることが好ましい。第１低坪量部４１、第２低坪量部４２、第３低坪量部４３及びサイド低坪量部４５は、吸収コア３０の剛性が変化する境目となる。したがって、第１低坪量部４１、第２低坪量部４２、第３低坪量部４３及びサイド低坪量部４５は、吸収コア３０が変形し易い領域に相当する。
【００４８】
第１低坪量部４１は、吸収コア３０の幅方向Ｗの中央において中央域Ｓ１と後側域Ｓ３を跨がって前後方向Ｌに延びている。第１低坪量部４１は、物品幅中心１ＣＷをまたがってよい。第１低坪量部４１は、第２低坪量部４２と繋がっている。第１低坪量部４１は、中央域Ｓ１の前後方向Ｌの中心Ｓ１ＣＬと第２低坪量部４２の間に配置されていればよく、第１低坪量部４１の前端縁は、吸収コア３０の前端縁３０Ｆに位置してもよい。第１低坪量部４１は、第２低坪量部４２を超えて後側まで延びてもよい。第１低坪量部４１の後端縁は、前後方向Ｌにおける後側域Ｓ３の中心よりも後側に位置してよいし、吸収コア３０の後端縁３０Ｒに位置してもよい。特に、第１低坪量部４１を基点とした凸状の変形を吸収コア３０の前後方向Ｌの全域に伝えるためには、第１低坪量部４１が吸収コア３０の前端縁３０Ｆ及び後端縁３０Ｒまで延びていることが好ましい。なお、変形例において、第２低坪量部４２よりも後側において、第１低坪量部４１と異なる低坪量部が吸収コア３０の幅方向Ｗの中央において前後方向Ｌに延びてもよい。第１低坪量部４１と異なる低坪量部とは、第１低坪量部４１の幅と異なる幅を有する低坪量部、第１低坪量部４１のように前後方向Ｌに連続してなく、前後方向Ｌに間隔を空けて配置された低坪量部を例示できる。
【００４９】
サイド低坪量部４５は、第１低坪量部４１に対する幅方向Ｗの両側において前後方向Ｌに延びてよい。サイド低坪量部４５は、中央域Ｓ１と後側域Ｓ３を跨がってよい。サイド低坪量部４５は、第１低坪量部４１と幅方向Ｗに離間してよく、その離間している距離は、少なくとも吸収コア３０の厚さよりも長くてよく、好ましくは、１０ｍｍ以上であってよい。サイド低坪量部４５の前後方向Ｌの位置及び長さは、第１低坪量部４１と同じであってよい。すなわち、サイド低坪量部４５の前端縁は、吸収コア３０の前端縁に位置してもよい。サイド低坪量部４５は、第２低坪量部４２と繋がってよく、第２低坪量部４２を超えて後側まで延びてもよい。サイド低坪量部４５の後端縁は、前後方向Ｌにおける後側域Ｓ３の中心よりも後側に位置してよいし、吸収コア３０の後端縁３０Ｒに位置してもよい。また、第１低坪量部４１の幅方向Ｗにおける長さ及びサイド低坪量部４５の幅方向Ｗの長さは、一定であってもよいし、一定でなくてもよい。サイド低坪量部４５の幅方向Ｗの長さは、第１低坪量部４１の幅方向Ｗの長さ以下であってよい。
【００５０】
第２低坪量部４２は、後側域Ｓ３において幅方向Ｗに延びている。第２低坪量部４２は、中央域Ｓ１に配置されず、中央域Ｓ１よりも後側に配置されてよい。第２低坪量部４２の前後方向Ｌにおける長さは、一定であってもよいし、一定でなくてもよい。第２低坪量部４２の前後方向Ｌの長さＬ４２は、吸収コア３０の厚みＴ３０（図３参照）よりも長い。なお、ここにおける「吸収コアの厚み」は、第２低坪量部４２に隣接する領域における吸収コア３０の厚みである。また、第２低坪量部４２の前後方向Ｌの長さが変化する形態にあっては、第２低坪量部４２の前後方向Ｌの最大長さが、当該部分に隣接する吸収コア３０の厚みよりも長ければよい。
【００５１】
なお、本明細書における「吸収コアの坪量及び厚み」の測定は、以下の測定方法によって行われるものとする。吸収性物品１がパッケージなどに封入されている場合には、パッケージから取り出し、その状態にて20℃±2℃、相対湿度60％±5％RHの雰囲気下において１２時間放置したサンプルを用いる。包装シート等によって包装された吸収性物品においては包装体を開封し、折り畳まれた吸収性物品を展開して、吸収性物品の坪量を測定する部分の厚みを測定する。次いで、坪量を測定する部分を吸収性物品から切り出し、切り出した部分の重量を測定する。次いで、切り出した部分から吸収コアを取り除き、表面シート及び裏面シート等、吸収コア以外の厚み及び重量を測定する。なお、吸収コアが接着剤等で残っている場合には、トルエン等ですべて取り除き、２４時間常温で乾燥させた後に測定する。最初に測定した吸収性物品の厚みから吸収コア以外の厚みを除き、吸収コアの厚みを測定する。また、切り出した部分の重量から吸収コア以外の重量を除き、坪量を測定する部分の面積に基づいて坪量を算出する。
【００５２】
第３低坪量部４３は、後側域Ｓ３において幅方向Ｗに延びている。第３低坪量部４３は、第２低坪量部４２よりも後側に位置し、第２低坪量部４２と離間している。第３低坪量部４３の前後方向Ｌにおける長さは、一定であってもよいし、一定でなくてもよい。第２低坪量部４２及び第３低坪量部４３は、吸収コア３０の外側縁に到達してもよいし、吸収コア３０の外側縁よりも幅方向Ｗの内側に位置してもよい。第２低坪量部４２及び第３低坪量部４３が吸収コア３０の外側縁に到達していることにより、第２低坪量部４２及び第３低坪量部４３を基点として、吸収コア３０がより変形し易くなる。
【００５３】
（４）吸収性物品の着用時の変形態様
次いで、図６等に基づいて、このように構成された吸収性物品の着用時の変形態様について説明する。図６は、使用中の吸収性物品を模式的に示した図である。中央域Ｓ１は、幅方向Ｗの外側から内側に向かう力を受ける。より詳細には、吸収性物品が取り付けられた状態の着用物品を引き上げる際には、着用物品及び吸収性物品が脚に内側に引っかかりつつ引き上げられるため、中央域Ｓ１には、幅方向Ｗの外側から内側に向かう力がかかる。また、着用物品が装着された状態では、着用者の脚によって挟まれるため、中央域Ｓ１には、幅方向Ｗの外側から内側に向かう力がかかる。このとき、中央域Ｓ１の吸収コア３０は、第１低坪量部４１を基点として変形する。第１低坪量部４１を頂点として吸収コア３０が凸状に変形することにより、着用者の排泄口に吸収コア３０がフィットする。
【００５４】
第１低坪量部４１が中央域Ｓ１及び後側域Ｓ３に跨がって設けられ、かつ第１低坪量部４１と第２低坪量部４２が繋がっているため、第１低坪量部４１を頂点とした凸状の変形が少なくとも第２低坪量部４２の前端縁まで伝わる。そして、後側域Ｓ３の吸収コア３０は、幅方向Ｗに延びる第２低坪量部４２を基点として前後方向Ｌに変形し、前後方向Ｌに延びる身体のラインに沿うように変形する。具体的には、着用物品の引き上げ時に、第１低坪量部４１を頂点とした凸形状が形成されると、既に凸形状が形成された吸収性物品が着用者の股下に配置され、着用物品が身体を覆うように着用されることにより、第２低坪量部４２を基点として前後方向Ｌに変形し、前後方向Ｌに延びる身体のラインに沿うように変形する。第２低坪量部４２の前後方向Ｌの長さＬ４２が吸収コア３０の厚みＴ３０よりも長いため、第２低坪量部４２を基点とした変形時に第２低坪量部４２を前後方向Ｌに挟んだ吸収コア３０同士がぶつかり難い。よって、第２低坪量部４２を基点にして吸収コア３０が大きく変形し易く、第１低坪量部４１を頂点とした凸形状を維持しつつ、前後方向Ｌに延びる身体の丸みに沿い易い。すなわち、第１低坪量部４１を頂点とした凸形状が第２低坪量部４２によって分断され難い。密着性の低い着用物品を着用した場合等、着用物品によって身体側に押圧する力がかからない場合であっても、中央域Ｓ１の吸収コア３０が排泄口にフィットしつつ、後側域Ｓ３の吸収コア３０が臀部の丸みに沿って配置されやすい。よって、排泄口に対するフィット性と臀部に対するフィット性を両立できる。好ましくは、第１低坪量部４１は、第２低坪量部４２の前端縁４２Ｆから中央域Ｓ１の前後方向Ｌの中心Ｓ１ＣＬまで連続してよい。幅方向Ｗの外側から内側に向かう力がかかった際に、第１低坪量部４１を頂点とした凸形状が中央域Ｓ１の前後方向Ｌの中心Ｓ１ＣＬから第２低坪量部４２まで連続して形成される。また、第１低坪量部４１が第２低坪量部４２よりも後側まで延びていることにより、第１低坪量部４１を頂点とした凸形状が第２低坪量部４２を超えて後側まで伝わりやすくなる。
【００５５】
第２低坪量部４２よりも前側には、幅方向Ｗに延びる低坪量部が形成されていない。第１低坪量部４１よりも幅方向Ｗの外側かつ第２低坪量部４２よりも前側には、第１低坪量部４１及び第２低坪量部４２よりも吸収材料の坪量が高い高坪量部４８が、第２低坪量部４２の前端縁４２Ｆから中央域Ｓ１の前後方向Ｌの中心Ｓ１ＣＬまで連続している。高坪量部４８は、第１低坪量部４１の幅方向Ｗにおける両側にそれぞれ配置されてよく、図１において、一方の高坪量部４８に斜線を付して示す。高坪量部４８は、幅方向Ｗにおいて第１低坪量部４１とサイド低坪量部４５の間に配置されてよく、サイド低坪量部４５を有しない形態にあっては、幅方向Ｗにおいて第１低坪量部４１と吸収コア３０の外側縁３０Ｅの間に配置されてよい。高坪量部４８は、前後方向Ｌにおいて少なくとも第２低坪量部４２と中央域Ｓ１の前後方向Ｌの中心Ｓ１ＣＬの間に配置されていればよく、第２低坪量部４２と吸収コア３０の前端縁３０Ｆの間に配置されてもよい。なお、高坪量部４８は、第１低坪量部４１及び第２低坪量部４２よりも吸収材料の坪量が高ければよく、第２低坪量部４２と第３低坪量部４３の間の領域、サイド低坪量部４５よりも幅方向Ｗの外側の領域等、他の領域と同じ坪量であってもよく、吸収コア３０において最も坪量が高い領域でなくてよい。
【００５６】
高坪量部４８が第２低坪量部４２から中央域Ｓ１の前後方向Ｌの中心まで連続しているため、第２低坪量部４２よりも前側に身体の前後方向Ｌに吸収コア３０を大きく曲げる変形基点が形成され難い。そのため、幅方向Ｗの外側から幅方向Ｗの内側に向かって力がかかった際に、当該力が分散せずに第１低坪量部４１に集中し易い。よって、第１低坪量部４１を頂点とした凸形状を形成し易い。また、第１低坪量部４１を頂点とした凸形状が形成された後は、第１低坪量部４１を頂点とした変形を高坪量部４８によって支持でき、身体に対する凸形状を維持し易い。よって、排泄口に対向する領域近傍では、第１低坪量部４１を頂点とした凸形状を連続して形成するとともに、吸収コア３０を前後方向Ｌに連続して当てて体液を吸収できる。
【００５７】
第２低坪量部４２は、吸収コア３０の幅方向Ｗの中央から幅方向Ｗの両方の外側に向かって延びてよい。第２低坪量部４２は、幅方向Ｗに沿って直線的に延びてもよいし、幅方向Ｗに沿って曲線的に延びてもよい。第２低坪量部４２の幅方向Ｗの中心は、第２低坪量部４２の外側縁よりも後側に位置してよい。すなわち、第２低坪量部４２は、第２低坪量部４２の幅方向Ｗの中央が後方に突出した曲線形状であってよい。第２低坪量部４２を基点とした吸収コア３０の変形は、第１低坪量部４１を頂点とした凸形状を維持しつつ、前後方向Ｌに延びる身体の丸みに沿わせることが好ましい。臀部の幅方向Ｗに沿った断面は、幅方向Ｗの中央が幅方向Ｗの側部よりも膨らんでいる。そのため、臀部の丸みに対向する領域では、幅方向Ｗの中央よりも幅方向Ｗの側部の方をより前側で変形させることが好ましい。第２低坪量部４２を基点とした変形が幅方向Ｗの中央よりも幅方向Ｗの側部が前側に形成され、吸収コア３０が身体の形状により沿い易くなり、第１低坪量部４１を基点とした凸形状を維持しつつ第２低坪量部４２を基点に変形できる。よって、臀部の前後方向Ｌの丸み及び幅方向Ｗの丸みにそれぞれ沿うように吸収コア３０が変形し、丸みを帯びた形状の吸収性物品１によって臀部を覆うことができる。
【００５８】
第２低坪量部４２よりも後側には、吸収コア３０の幅方向Ｗの中央において前後方向Ｌに延びる低坪量部が設けられてよい。本実施の形態では、第２低坪量部４２よりも後側においても、第１低坪量部４１が、吸収コア３０の幅方向Ｗの中央において前後方向Ｌに延びている。このような構成によれば、第２低坪量部４２よりも後側にも、吸収コア３０の幅方向Ｗの中央を頂点とした凸状の変形を形成でき、臀部間の隙間に対するフィット性をより高め、体液の漏れを抑制できる。
【００５９】
吸収性物品を折り畳むための第１折り線ＦＬは、第２低坪量部４２に重なってよい。第１折り線ＦＬ１の少なくとも一部が第２低坪量部４２に重なっていればよい。肌面側を内側にして折り畳むための折り線による折り癖が強い場合には、当該折り癖によって吸収性物品が身体から離れるように変形し易い。折り線が第２低坪量部４２に重なっていることにより、折り線による折り癖を弱くし、身体から吸収性物品１が離れるような変形を抑制できる。また、折り線による折り癖が強い場合には、第１低坪量部４１を基点とした凸状の変形が分断され、当該凸状の変形が後側に伝達し難くなるおそれがある。しかし、折り線による折り癖が弱くなることにより、第１低坪量部４１を基点とした凸状の変形を分断せずに、前後方向Ｌに伝達し易くなる。また、第１低坪量部４１から前後方向Ｌに延長した領域と第２低坪量部４２が重なる領域に、第１折り線ＦＬ１が形成されてよい。第１折り線ＦＬ１による折り癖が弱くなり、第１折り線ＦＬ１の影響を受けずに、第１低坪量部４１を頂点とした凸形状を前後方向に連続して形成し易くなる。
【００６０】
図１に示すように、吸収性物品の外側縁１Ｅには、幅方向Ｗの内側に凹んだくびれ部が形成されている。くびれ部は、前後の領域よりも幅方向Ｗの内側に凹んだ部分である。くびれ部は、ウイング３の前端縁に位置する第１くびれ部７１、ウイング３の後端縁に位置する第２くびれ部７２、及びヒップフラップ４の前後方向Ｌの中央近傍に位置する第３くびれ部７３が設けられている。中央域Ｓ１の前後方向Ｌの中心よりも後側には、第２くびれ部７２及び第３くびれ部７３が設けられている。第２くびれ部７２は、第３くびれ部よりも幅方向Ｗの内側に凹んでおり、本発明の「中央域Ｓ１の前後方向Ｌの中心よりも後側において最も幅方向Ｗの内側に位置するくびれ部」を構成する。第２低坪量部４２は、中央域Ｓ１の前後方向Ｌの中心よりも後側において最も幅方向Ｗの内側に位置する第２くびれ部７２よりも後側に位置してよい。最も幅方向Ｗの内側に位置する第２くびれ部７２よりも前側や第２くびれ部７２において第２低坪量部４２による変形基点が形成されると、第２くびれ部７２近傍が身体から離れ、横漏れが発生し易い。しかし、第２くびれ部７２よりも後側に第２低坪量部４２による変形基点が形成されるため、第２くびれ部７２近傍における横漏れを抑制できる。
【００６１】
第１低坪量部４１に対する幅方向Ｗの両側には、前後方向Ｌに延びるサイド圧搾部８５が形成されてよい。サイド圧搾部８５が第１低坪量部４１に向けて力を伝達し、比較的剛性が低い第１低坪量部４１を基点とした凸形状を形成し易い。また、第１低坪量部４１を頂点とした凸形状が形成された後は、第１低坪量部４１を頂点とした変形をサイド圧搾８５部によって支持でき、身体に対する凸形状を維持し易い。また、サイド圧搾部８５は、第２低坪量部４２に繋がってよい。サイド圧搾部８５が第２低坪量部４２に繋がっているため、第１低坪量部４１を頂点とした凸形状を第２低坪量部４２まで連続して形成し易い。
【００６２】
第１低坪量部４１の幅方向Ｗの両方の外側には、サイド低坪量部４５が設けられている。吸収コア３０は、サイド低坪量部４５と第１低坪量部４１を基点に変形する。より詳細には、幅方向Ｗの外側から内側に向かう力がかかると、一対のサイド低坪量部４５を基点に吸収コア３０が変形し、サイド低坪量部４５間の領域が着用者側に隆起する。このとき、サイド低坪量部４５間に第１低坪量部４１が設けられているため、サイド低坪量部４５間の領域は、第１低坪量部４１を頂点として変形する。サイド低坪量部４５が設けられていることにより、第１低坪量部４１とサイド低坪量部が協働して変形し、幅方向に沿った断面において吸収コアがＷ字状に変形し易い。また、第１低坪量部４１を頂点とした変形が安定する。また、サイド低坪量部４５は、第２低坪量部４２に繋がってよい。サイド低坪量部４５が第２低坪量部４２に繋がっているため、第１低坪量部４１を頂点とした凸形状を第２低坪量部４２まで連続して形成できる。
【００６３】
また、サイド低坪量部４５よりも幅方向の外側にも第２高坪量部４９が設けられていてよい。第２高坪量部４９は、サイド低坪量部４５と吸収コアの外側縁の間に配置されてよい。第２高坪量部４９の幅方向の長さは、高坪量部４８の幅方向の長さよりも長くてよい。なお、高坪量部４８及び第２高坪量部４９は、第１低坪量部４１及び第２低坪量部４２よりも吸収材料の坪量が高ければよく、高坪量部内の坪量が一定でなくてよい。また、高坪量部４８の坪量と第２高坪量部４９の坪量は、異なっていてもよい。
【００６４】
サイド低坪量部４５よりも幅方向Ｗの外側には、圧搾部８０が配置されてよい。サイド低坪量部４５よりも幅方向Ｗの外側の領域の剛性が高くなり、剛性差によってサイド低坪量部を基点に変形し易くなり、サイド低坪量部４５間の領域が着用者側により隆起し易くなる。加えて、サイド低坪量部４５よりも幅方向Ｗの外側の領域は、圧搾部８０によって剛性が高くなり、吸収コアのＷ字状の変形後によれにくく、横漏れを抑制できる。
【００６５】
本体粘着部６１は、第１低坪量部４１及びサイド低坪量部４５と重ならない領域に配置されてよい。すなわち、本体粘着部６１は、幅方向において第１低坪量部４１とサイド低坪量部４５の間に配置され、本体粘着部６１どうしの幅方向の間に第１低坪量部４１が配置されてよい。本体粘着部６１が配置された領域と第１低坪量部４１との剛性差によって第１低坪量部４１を基点により変形し易くなる。同様に、本体粘着部６１が配置された領域とサイド低坪量部４５との剛性差によってサイド低坪量部４５を基点により変形し易くなる。また、第１低坪量部４１及びサイド低坪量部４５に重なる領域は、本体粘着部６１を介して着用物品に接合されていないため、柔軟に変形し易く、より吸収コアの変形基点として機能し易い。
【００６６】
第２低坪量部４２の前後方向Ｌの長さＬ４２は、第１低坪量部４１の幅方向Ｗの長さＷ４１よりも長くてよい。本態様によれば、第２低坪量部４２を基点にして吸収コア３０が大きく変形し易くなる。一方、第１低坪量部４１を基点にして吸収コア３０が大きく変形し難く、第１低坪量部４１を基点とした吸収コア３０の変形が緩やかになる。第１低坪量を基点として吸収コア３０が大きく変形すると、排泄口に対する違和感が発生したり、中央域Ｓ１における吸収コア３０の幅を確保できず横漏れが発生したりする不具合のおそれがある。第１低坪量部４１を基点とした吸収コア３０の変形が緩やかにすることができ、当該不具合を抑制できる。
【００６７】
第２低坪量部４２よりも後側には第３低坪量部４３が設けられてよい。第２低坪量部４２よりも後側に、前後方向Ｌに延びる身体の丸みに沿わせる変形基点を設けることができ、後側域における臀部に対するフィット性をより向上できる。第３低坪量部４３の前後方向Ｌの長さは、第２低坪量部４２の前後方向Ｌの長さよりも短くてよい。第２低坪量部４２よりも後側に、前後方向Ｌに延びる身体の丸みに沿わせる変形基点を設けることができ、後側域における臀部に対するフィット性をより向上できる。また、第３低坪量部４３の前後方向Ｌの長さが短いため、第３低坪量部４３を基点に吸収コアが大きく変形し難く、第３低坪量部４３が身体から離れすぎずに後漏れを抑制できる。また、夜用の生理用ナプキン等、後側域の前後方向の長さが長い吸収性物品にあっては、第３低坪坪量部よりも後側に、幅方向に延びる低坪量部が設けられていてもよい。すなわち、第２低坪量部４２よりも後側に、複数の低坪量部が設けられてよい。後側域の前後方向の長さが長い吸収性物品において、後側域を臀部の丸みに沿って配置し易くなる。
【００６８】
なお、第３低坪量部４３の形状は、第２低坪量部４２に沿う形状であることが好ましい。例えば、第２低坪量部４２は、第２低坪量部４２の幅方向Ｗの中央が後方に突出した曲線形状の形態にあっては、第３低坪量部４３も、第３低坪量部４３の幅方向Ｗの中央が後方に突出した曲線形状であってよい。吸収コア３０の変形時に、第２低坪量部４２と第３低坪量部４３が干渉し難くなり、それぞれを基点とした変形を実現しやすい。
【００６９】
第１低坪量部４１と重なる領域には、第１圧搾部８１が形成され、第２低坪量部４２と重なる領域には、第１圧搾部８１が形成されずに、接着剤を介してコアラップ３１と吸収コア３０が接合された接着部３５が設けられてよい。本実施の形態の第１圧搾部８１は、吸収コア３０よりも肌面側に位置するコアラップと、吸収コア３０と、吸収コア３０よりも非肌面側に位置するコアラップと、が圧縮されている。第１低坪量部４１は、第２低坪量部４２よりも脚によって強い力を受けやすい。第１圧搾部８１によって第１低坪量部４１の剛性を高め、脚によって強い力を受けた場合であっても、第１低坪量部４１の形状を維持し、第１低坪量部４１を頂点とした凸形状を維持し易い。また、第２低坪量部４２に作用する力は、第１低坪量部４１よりも弱くなり易い。第２低坪量部４２に第１圧搾部が形成されていないことにより、第２低坪量部４２の剛性を高めすぎずに違和感を抑制しつつ、コアラップ３１と吸収コア３０を接合することにより、吸収コア３０に体液を引き込み、伝え漏れを抑制できる。
【００７０】
（５）第２実施形態に係る吸収性物品
次いで、図７に基づいて、第２実施形態に係る吸収性物品１Ｘについて説明する。なお、以下の第２実施形態の説明において、第１実施形態と同様の構成については、同符号を用いて説明を省略する。第２実施形態に係る吸収性物品１Ｘは、第２低坪量部４２の形状が、第１実施形態に係る吸収性物品の第２低坪量部４２Ｘと異なる。第２実施形態に係る第２低坪量部４２Ｘは、第２低坪量部４２Ｘの幅方向Ｗの中央が前方に突出した曲線形状である。
【００７１】
第１低坪量部４１を頂点とした凸状の変形は、中央域Ｓ１から後側域Ｓ３に向かって伝わり、少なくとも第２低坪量部４２Ｘの前端縁まで伝わる。第２低坪量部４２Ｘは、幅方向Ｗの中央が前側に突出しているため、第１低坪量部４１を頂点とした凸状の変形は、まず第２低坪量部４２の幅方向Ｗの中央に伝わり、第２低坪量部４２Ｘの幅方向Ｗの外側に向かって伝わる。第１低坪量部４１を基点とした凸状の変形は、第２低坪量部４２Ｘを基点として幅方向Ｗの外側かつ後側にスムーズに伝達される。よって、吸収コア３０を隆起させる力が弱い場合であっても、第１低坪量部４１及び第２低坪量部４２Ｘを基点とした変形を実現しやすい。
【００７２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００７３】
本態様によれば、着用物品に取り付けられて使用される吸収性物品であって、身体に対するフィット性を向上できる吸収性物品を提供することができる。
【符号の説明】
【００７４】
１        ：吸収性物品
１０      ：肌面シート
２０      ：非肌面シート
３０      ：吸収コア
４１      ：第１低坪量部
４２      ：第２低坪量部
４３      ：第３低坪量部
４５      ：サイド低坪量部
８１      ：第１圧搾部
８５      ：サイド圧搾部
Ｌ        ：前後方向
Ｗ        ：幅方向
Ｔ        ：厚み方向
Ｓ１      ：中央域
Ｓ２      ：前側域
Ｓ３      ：後側域
１ＣＷ      ：物品幅中心
【図１】
2020096749.tif 000003
【図２】
2020096749.tif 000004
【図３】
2020096749.tif 000005
【図４】
2020096749.tif 000006
【図５】
2020096749.tif 000007
【図６】
2020096749.tif 000008
【図７】
2020096749.tif 000009